(57)【特許請求の範囲】
【請求項１】
原稿シートと表紙又は間紙からなるインサートシートを給紙する原稿・付属紙給紙部と、
複写シートを給紙する複写紙給紙部と、
前記原稿・付属紙給紙部から給紙されるシートが原稿シートである場合に、その画像を読み取る画像読取手段と、
この画像読取手段によって読み取られた画像データに基づいて、前記複写紙給紙部から給紙される複写シート上に画像を形成する画像形成部と、
前記原稿シートと複写シート及びインサートシートとを分けて排紙する個別の排紙部または原稿シート、複写シート及びインサートシートをまとめて排紙する共通の排紙部とを備えたことを特徴とする画像形成装置。
【請求項２】
前記原稿・付属紙給紙部から給紙されるシートが原稿シートかインサートシートかを判別するシート判別手段と、
前記給紙されるシートが原稿シートであることが前記シート判別手段によって判別された場合、前記画像読取手段による読み取り動作を実行する読取制御手段とを備えた請求項１記載の画像形成装置。
【請求項３】
前記シート判別手段は、給紙されるシートが原稿シートかインサートシートかを選別する操作手段を備えた請求項２記載の画像形成装置。
【請求項４】
前記排紙部は、前記画像形成部によって画像形成された複写シートを排紙する複写シート排出部と、前記給紙部から給紙されたインサートシートを前記複写シート排出部へ導くインサートシート搬送路と、
前記給紙部から給紙された原稿シートを排紙する原稿シート排出部と、前記給紙部から給紙された原稿シートを前記原稿シート排出部へ導く原稿シート搬送路とを備えた請求項１乃至３のいずれかに記載の画像形成装置。
【請求項５】
前記排紙部は、前記画像形成部によって画像形成された複写シートを排紙する複写シート排出部と、
前記給紙部から給紙された原稿シート及びインサートシートを前記複写シート排出部へ導く共用搬送路とを備えた請求項１乃至３のいずれかに記載の画像形成装置。
【請求項６】
前記原稿・付属紙給紙部は、前記原稿シートとインサートシートを載置する給紙トレイと、
前記原稿シート又はインサートシートを一枚ずつ分離するシート分離手段とを備えた請求項１乃至５のいずれかに記載の画像形成装置。
【請求項７】
原稿シートから画像を読み取り、複写シートに前記画像を形成する画像形成装置本体と、この画像形成装置本体に接続される付属装置によって構成される画像形成システムにおいて、
前記付属装置には、原稿シートと表紙又は間紙からなるインサートシートを給紙する給紙部と、この給紙部から給紙されてきたシートが原稿シートである場合に、その画像を読み取る画像読取手段とを備えたことを特徴とする画像形成システム。
【請求項８】
前記給紙部から給紙されるシートが原稿シートかインサートシートかを判別するシート判別手段と、
前記給紙されるシートが原稿シートであることが前記シート判別手段によって判別された場合、前記画像読取手段による読み取り動作を実行する読取制御手段とを前記画像形成装置本体と付属装置の少なくとも一方に備えた請求項７記載の画像形成システム。
【請求項９】
前記シート判別手段は、給紙されるシートが原稿シートかインサートシートかを選別する操作手段を備えた請求項８記載の画像形成システム。
【請求項１０】
前記付属装置に前記画像形成部によって画像が形成された複写シートが排出される排紙部を設けた請求項７乃至９のいずれかに記載の画像形成システム。
【請求項１１】
前記付属装置は、前記画像形成部に複写シートを給紙する給紙手段を備えた請求項７乃至９のいずれかに記載の画像形成システム。
【請求項１２】
前記付属装置は、前記画像形成部によって画像形成された複写シートを排紙する複写シート排出部と、
前記給紙部から給紙されたインサートシートを前記複写シート排出部へ導くインサートシート搬送路と、
前記給紙部から給紙された原稿シートを排紙する原稿シート排出部と、
前記給紙部から給紙された原稿シートを前記原稿シート排出部へ導く原稿シート搬送路とを備えた請求項１０記載の画像形成システム。
【請求項１３】
前記付属装置は、前記画像形成部によって画像形成された複写シートを排紙する複写シート排紙部と、
前記給紙部から給紙された原稿シート及びインサートシートを前記複写シート排出部へ導く共用搬送路とを備えた請求項１０記載の画像形成システム。
【請求項１４】
前記給紙部は、原稿シートとインサートシートを載置する給紙トレイと、
前記原稿シート又はインサートシートを一枚ずつ分離するシート分離手段とを備えた請求項７乃至１３のいずれかに記載の画像形成システム。
【発明の詳細な説明】
【０００１】
【発明の属する技術分野】
本発明は、原稿を複写する際に、表紙や間紙等を複写紙の間に挿入する機能を備えた画像形成装置及び画像形成システムに関するものである。
【０００２】
【従来の技術】
従来の画像形成装置の一つである複写機１は、図１０に示すように、原稿シートを給紙する原稿給紙部２、複写シートを給紙する複写紙給紙部３と、前記原稿給紙部２から一枚ずつ搬送される原稿シートの画像を読み取る光学センサを備えた画像読取手段４と、この画像読取手段４で読み取られた原稿シートの画像を複写シート上に転写形成する画像形成部５と、この画像形成部５によって画像が形成された複写シートや読み取り済の原稿シートを排出するシート排紙部６とで構成されている。このような複写機１において、まとまった原稿を複写する際に、一部ごとに表紙を付けたり、ページ間に間紙を挿入して製本する場合がある。このような場合に、従来は表紙や間紙等の付属紙（インサートシート）を給紙するインサータ１１を前記複写機１に取り付けて使用していた。前記インサータ１１は、前記複写機１の原稿給紙部２と略同様な機能を有する付属紙給紙部１２を備えている。この付属紙給紙部１２は、前記複写機１内のシート排紙部６に合流するが、その際、前記シート排紙部６に挿入されるインサートシートの送出タイミングが、図示しない制御機構あるいはマニュアル操作によって制御される。
【０００３】
上記インサータに関しては、その給紙機構や制御に改良を加えたものがいくつか出願されており、例えば、ラージサイズのインサートシートでもスムーズにシート排紙部に向けて搬送可能な給紙機構やその制御を改良した画像形成装置（特開２００１−２６３６７号公報参照）等がある。
【０００４】
【発明が解決しようとする課題】
しかしながら、このような従来の画像形成装置においては、次のような不具合点を有していた。即ち、図１０に示したように、原稿シートを給紙及び搬送する原稿給紙部２と、表紙や間紙等のインサートシートを給紙及び搬送するインサ−タ１１とが別々に設けられていることから、原稿シートを搬送する原稿搬送路とインサートシートを搬送するインサートシート搬送路をそれぞれ別々に設置しなければならない。このため、複写機（画像形成装置）全体の小型化が図られないといった問題がある。また、原稿シートとインサートシートをスタックするトレイの位置が離れているため、原稿シートやインサートシートの供給や補充が面倒であった。
【０００５】
そこで、本発明は、原稿画像が複写形成されたシート間に挿入する表紙や間紙等のインサートシートと原稿シートとを分けることなく給紙及び読取操作することで、シートの給紙スペース及び搬送スペースのコンパクト化が可能な画像形成装置を提供することにある。
【０００６】
また、本発明の第２の目的は、画像形成装置本体に付属する自動給紙装置や自動排紙装置内にインサートシートの給紙及び搬送を可能とする機能を内蔵することで、組み合わせや拡張性の自由度の向上効果が得られる画像形成システムを提供することにある。
【０００７】
【課題を解決するための手段】
上記課題を解決するために、本発明の請求項１に係る画像形成装置は、原稿シートと表紙又は間紙からなるインサートシートを給紙する原稿・付属紙給紙部と、複写シートを給紙する複写紙給紙部と、前記原稿・付属紙給紙部から給紙されるシートが原稿シートである場合に、その画像を読み取る画像読取手段と、この画像読取手段によって読み取られた画像データに基づいて、前記複写紙給紙部から給紙される複写シート上に画像を形成する画像形成部と、前記原稿シートと複写シート及びインサートシートとを分けて排紙する個別の排紙部または原稿シート、複写シート及びインサートシートをまとめて排紙する共通の排紙部とを備えたことを特徴とする。
【０００８】
この発明によれば、原稿・付属紙給紙部及びその搬送路が原稿シートとインサートシートで共用する構造となっているので、その分、画像形成装置全体の小型化が図られる。
【０００９】
また、前記原稿・付属紙給紙部から給紙されるシートが原稿シートであるかインサートシートであるかを判別するシート判別手段を備えることで、原稿シートとインサートシートとを混在して単一の給紙部に供給することができる。また、前記シート判別手段によって、原稿・付属紙給紙部から給紙されるシートが原稿シートであることが判別した場合にのみ画像読取手段での読み取り動作が実行されるので、無駄な読み取り動作を防止して処理の高速化が図られる。
【００１０】
また、前記シート判別手段に、給紙されるシートが原稿シートかインサートシートかを選別する操作手段を備えることで、操作者がシートの給紙状態を見ながら手動で画像の読取処理が必要かどうかの選択を行うことができる。
【００１１】
前記原稿・付属紙給紙部で給紙された原稿シートとインサートシートとが画像形成装置内に設けられる別々の搬送路を経てそれぞれの排紙部へ排紙する構成をとることで、原稿シートとインサートシートの処理を容易且つ確実に振り分けることができる。
【００１２】
また、前記原稿・付属紙給紙部に原稿シート及びインサートシートを供給する給紙トレイを設けると共に、この給紙トレイに原稿シート又はインサートシートを一枚ずつ分離するシート分離手段を備えることで、原稿シートとインサートシートの判別処理が確実且つ容易となる。
【００１３】
本発明の画像形成システムは、原稿シートから画像を読み取り、複写シートに前記画像を形成する画像形成装置本体と、この画像形成装置本体に接続される付属装置によって構成される画像形成システムにおいて、前記付属装置には、原稿シートと表紙又は間紙からなるインサートシートを給紙する給紙部と、この給紙部から給紙されてきたシートが原稿シートである場合に、その画像を読み取る画像読取手段とを備えた。
【００１４】
この発明によれば、原稿シートとインサートシートとを給紙する給紙部と、この給紙部から給紙されるシートの画像を読み取る画像読取手段とが一体となった付属装置を、画像形成部を中心として構成された画像形成装置本体と別体で構成することによって、画像形成システムとしての拡張性の自由度が得られる。
【００１５】
前記付属装置内に設けるインサータ機能に、前記画像形成装置に設けられるようなシート判別手段や読取制御手段、シート分離手段を設けることで、シートの給紙や搬送に要するスペースが簡略化して小型化が可能となる。
【００１６】
【発明の実施の形態】
以下、添付図面に基づいて、本発明に係る画像形成装置及び画像形成システムの実施形態を詳細に説明する。
【００１７】
（画像形成装置）
本発明の画像形成装置２１の全体構成を図１に示す。この画像形成装置２１は、文字や図等が記載されている原稿シートのイメージ（画像）を読み取る画像読取手段２５、前記読み取った画像を複写シートに転写形成する画像形成部３２を中心とした装置本体部２２と、前記原稿シート、表紙や間紙等の付属紙（インサートシート）を給紙するシート給紙部２３と、前記読み取り処理が終了した原稿シート及び画像が形成された複写シート及びインサートシートを排紙するシート排紙部２４とが備えられている。前記シート給紙部２３は、原稿・付属紙給紙部（第１シート給紙部）２３ａ及び複写紙給紙部（第２シート給紙部）２３ｂとを備える。前記画像読取手段２５では、第１シート給紙部２３ａから給紙されてくるシートのうち原稿シートのみを選別して読取動作が行われる。また、前記画像形成部３２では、第２シート給紙部２３ｂから給紙されてくる複写シート上に前記読み取られた原稿シートの画像を形成する。また、本発明の画像形成装置２１には、前記第１シート給紙部２３ａから給紙されるシートを一枚ずつ分離するシート分離手段２６と、前記画像読取手段２５に搬送されてくるシートが原稿シートであるかインサートシートであるかを判別するシート判別手段２７及び読取制御手段２８が備えられている。シート排紙部２４は、読取処理が終了した原稿シートと画像が形成された複写シートの間にインサートシートが所定位置に挿入されたシート束とを分けて収容するための原稿排紙部２０ａ及び複写紙・付属紙排紙部２０ｂが設けられる。なお、前記原稿排紙部２０ａと複写紙・付属紙排紙部２０ｂとを共通にした構成の排紙部を設けることもできる。
【００１８】
図２は、前記画像形成装置２１の第１実施形態の構成例を示したものである。この図２に示される画像形成装置２１ａは、画像読取手段２５及び画像形成部３２からなる装置本体部２２を中心に、上段側に原稿シート又はインサートシートを給紙する第１シート給紙部２３ａ、下段側に複写シートを給紙する第２シート給紙部２３ｂを備え、前記装置本体部２２に隣接してシート排紙部２４ａが設けられている。
【００１９】
（装置本体部）
前記装置本体部２２に備える画像読取手段２５は、プラテンガラス４０上に載置した原稿シートＤを読み取る可動型の第１読取手段２５ａと、給紙トレイ２９から給紙されてくる原稿シートを順次読み取る固定型の第２読取手段２５ｂとで構成されている。前記第１読取手段２５ａは、プラテンガラス４０上に広げた原稿Ｄ面に光を照射しながら移動する光源３７と、前記原稿Ｄ面で反射された光の像を受ける光学レンズ群３８と、この光学レンズ群３８で受けた光の像を結像して電気信号に変換する光学センサ（ＣＣＤ４１）とを備えている。また、第２読取手段２５ｂは、前記第１読取手段２５ａと同様に、給紙トレイ２９から搬送されてくる原稿シート面に向けて光を照射する光源及び前記原稿シート面で反射された光の像を結像して電気信号に変換する光学センサを備え、装置本体部２２内の給紙トレイ２９の取付部近傍に設けられる。
【００２０】
画像形成部３２は、外周面に潜像が形成可能な円筒状の感光ドラム３４を備えている。また、前記感光ドラム３４の周囲には、感光ドラム３４に潜像形成用の電荷を帯電させる一次帯電器３９、前記画像読取手段２５によって読取処理された画像データに応じて変調されたレーザビームを出力するレーザユニット、感光ドラム３４に形成された静電潜像を現像してトナー像を形成するための現像器３５、この現像器３５で形成されたトナー像を複写シートに転写するために帯電させる転写用帯電器３６、複写シートに前記転写用帯電器３６とは逆極性に帯電させて感光ドラム３４から分離するための分離帯電器４７及び感光ドラム３４を清浄するクリーナ４８とがそれぞれ配設されている。
【００２１】
前記感光ドラム３４の下流側かつ分離帯電器４７の近傍には、無端搬送ベルト５０が巻き掛けられたローラが配置されている。前記無端搬送ベルト５０は、ヒートローラ等を有し、シートに形成されたトナー像を加熱して定着させるための定着器５１の近傍に配置されたローラとの間で張架されている。また、定着器５１の下流側には、画像が形成されたシートを画像形成部３２から排出するための排出ローラ対４５が配設されている。
【００２２】
また、装置本体部２２の上部位置には、原稿シートＤを載置するためのプラテンガラス４０及び制御部５２からの情報に従って装置本体部２２の状態等を表示すると共に、オペレータによって前記制御部５２に直接操作指示可能な図示しないタッチパネルを有している。なお、この図２には示されていないが、前記プラテンガラス４０の上方を覆うと共に、原稿シートＤをプラテンガラス４０に給紙可能な自動給紙装置（ＡＤＦ）が必要に応じて配置される場合がある。
【００２３】
前記画像読取手段２５には、給紙トレイ２９から給紙される原稿シート及びインサートシートを判別する図１に示したシート判別手段２７及びこのシート判別手段２７によって原稿シートであることが判別された場合にのみ画像の読み取り操作を行う読取制御手段２８とが備えられている。このようなシート判別手段２７及び読取制御手段２８を備えることで、原稿シートとインサートシートとを混在して供給する給紙トレイ２９及びこの給紙トレイ２９から延びる搬送経路が１系統の場合にあっても、搬送されてくるシートの中でインサートシートの読取処理をパスすることができるので、全体の処理の高速化が図られる。
【００２４】
一方、装置本体部２２の下方に備える第２シート給紙部２３ｂは、画像が転写形成される複写シートが供給される。この第２シート給紙部２３ｂは、装置本体部２２に着脱自在で、Ａ５サイズのシートを収容するカセット５３、Ａ４サイズのシートを収容するカセット５４、Ａ３サイズのシートを収容するカセット５５等を備えている。なお、シートのサイズの選択は、後述する操作制御部に備えるキー入力部からも行うことができるが、これら各カセット５３，５４，５５に配設されたスイッチを押下することで目視確認を行ってシートのサイズを選択するようにしてもよい。
【００２５】
前記装置本体部２２に隣接して接続されるシート排紙部２４ａは、図３に示すように、原稿シートを排紙する原稿排紙トレイ３０と、画像が形成された複写シート及びインサートシートを排紙するスタックトレイ３１と、前記原稿排紙トレイ３０、スタックトレイ３１に原稿シートや複写シート及びインサートシートを送り出すための搬送ローラ対４４及び排出ローラ対４５とを備えている。また、前記スタックトレイ３１の手前には、画像が形成された複写シートやこの複写シートの間に挿入される表紙や間紙等のインサートシートからなるシート束を揃え、必要に応じてステープル操作を行うシート束整合部４６が設けられる。
【００２６】
前記シート束整合部４６は、処理トレイ５６やステープル装置５７等を備えており、前記処理トレイ５６で画像が形成された複写シートやインサートシートの端部を揃えながら順次積載していき、所定の枚数のシート束が積載された時点で前記ステープル装置５７によって綴じ動作が行われる。
【００２７】
図４は第２実施形態における画像形成装置２１ｂの構成例を示したものである。この画像形成装置２１ｂは、図５に示すように、複写シートやインサートシートの整合や搬出を行うシート排紙部２４ｂの内部に、原稿シート及びインサートシートを搬送しながら画像の読取処理を行わせる画像読取手段２５を設けたものである。前記シート排紙部２４ｂは、原稿シート及びインサートシートを給紙する給紙トレイ２９と、画像が形成された複写シート及びその間に挿入されるインサートシートを所定単位ごとに整合して排紙するスタックトレイ３１と、前記給紙トレイ２９に供給したシートの中の原稿シートを排紙する原稿排紙トレイ３０とを備えている。このような構成の画像形成装置２１ｂにあっては、先ず給紙トレイ２９上に原稿シートやインサートシートをまとめて載置する。そして、この給紙トレイ２９からピックアップローラ４３で一枚ずつ引き出されたシートは、ＣＣＤ等の光学センサを備えた画像読取手段２５の前を通過させながら読取処理が行われる。ここでの原稿シートの読取処理が終了した後、前記読み取られた画像データは装置本体部２２に備わる画像形成部３２転送され、各サイズの複写シートを供給しているカセット５３，５４，５５から給紙されてくる複写シート上に前記読み取った画像データを転写形成した後、再度シート排紙部２４ｂに搬送される。そして、このシート排紙部２４ｂに搬送されてきた複写シートは、一旦シート束整合部４６に積載待機される。その間にも次の原稿シートの読取処理から画像形成処理が行われ、画像が形成された複写シートを順次前記シート束整合部４６に積載する。
【００２８】
前記シート束整合部４６には、前記第１実施形態のシート排紙部２４ａと同様に、処理トレイ５６やステープル装置５７等を備えており、前記処理トレイ５６で画像が形成された複写シートやインサートシートの端部を揃えながら順次積載していき、所定の枚数のシート束が積載された時点で前記ステープル装置５７によって綴じ動作が行われる。
【００２９】
また、前記給紙トレイ２９から給紙されるシートがインサートシートである場合は、図１に示したシート判別手段２７によって判別され、画像読取手段２５での読取処理をパスして前記シート束整合部４６にそのまま排紙される。このようにして、給紙トレイ２９に供給された原稿シート及びインサートシートの給紙が終了すると、画像形成部３２で画像形成された複写シートが順次シート束整合部４６に積載される。そして、このシート束整合部４６でシートの端が揃えられ、又は、ステープル等の処理を終えた後、スタックトレイ３１に排紙される。原稿シートに関しては、別の搬送路を経由して原稿排紙トレイ３０に排紙される。なお、装置本体部２２にはプラテンガラス４０の下方に可動型の画像読取手段２５ａが設けられ、製本等されて前記給紙トレイ２９に載置できない原稿の読取処理が行われる。この画像読取手段２５ａ及び画像形成部３２の構造は前記図２に示した第１実施形態の画像形成装置２１ａと同様であるので説明は省略する。
【００３０】
図６は第３実施形態の画像形成装置２１ｃの構成を示したものである。この画像形成装置２１ｃは、原稿シート及びインサートシートの給紙方法として自動給紙装置（ＡＤＦ）５８を応用した構成となっている。前記ＡＤＦ５８は、原稿シート及びインサートシートを給紙する給紙トレイ２９と、前記給紙される原稿シートの画像を読み取るＣＣＤセンサを備えた画像読取手段２５と、読み取った原稿を排紙する原稿排紙トレイ３０とを備えている。この構造の画像形成装置２１ｃは、前記給紙トレイ２９に積載された原稿シート及びインサートシートを給紙しながらＡＤＦ５８内に設置されている画像読取手段２５で読み取る。この画像読取手段２５では、原稿シートだけが読み取られ、インサートシートはそのままシート排紙部２４ｃに送出される。前記画像読取手段２５によって読み取られた画像データは、装置本体部２２の画像形成部３２に転送され、各サイズの複写シートを供給しているカセット５３，５４，５５から給紙されてくる複写シート上に転写形成した後、シート排紙部２４ｃに送出される。このシート排紙部２４ｃに搬送されてきた複写シートは、前記読み取りをパスして送出されてきたインサートシートと共に一旦シート束整合部４６に積載される。その間にも次の原稿シートの読取処理から画像形成処理が行われ、前記給紙トレイ２９にセットされた原稿シートの画像が形成された複写シート及びインサートシートをシート束整合部４６に積載した後、まとめてスタックトレイ３１に排紙される。なお、前記ＡＤＦ５８を装着しない場合は、原稿をプラテンガラス４０に載置し、可動型の読取手段２５ａによって読取処理が行われる。
【００３１】
図７は第４実施形態の画像形成装置２１ｄの構成例を示したものである。この画像形成装置２１ｄは、複写シートが給紙される第２シート給紙部２３ｂ内に原稿シート及びインサートシートを給紙する給紙部と画像読取手段２５を設けたものである。前記画像読取手段２５は、各サイズの複写シートを供給しているカセット５３，５４，５５から画像形成部３２に向けて延びる共通の搬送路５９に沿って設けられる。このような画像形成装置２１ｄにあっては、最初に各カセット５３，５４，５５内に配設された給紙トレイから原稿シートを給紙し、その画像を前記画像読取手段２５で読み取った後、次に送出されてくる複写シートに画像形成部３２で転写形成し、シート排紙部２４ｄ内に備えるシート束整合部４６に積載される。前記画像読取手段２５には、前述した実施形態と同様にシート判別手段２７及び読取制御手段２８が備えられているので、給紙されてくるシートがインサートシートである場合は、画像の読み取り及び画像形成処理をパスしてそのままシート束整合部４６に積載され、シート束の整合やステープル等の処理が行われる。前記シート排紙部２４ｄには、スタックトレイ３１と原稿排紙トレイ３０が設けられ、画像形成及び表紙や間紙等のインサートシートが挿入されて整えられたシート束は、前記スタックトレイ３１に排紙され、読取処理された原稿シートは原稿排紙トレイ３０に排紙される。
【００３２】
上記第１実施形態乃至第４実施形態で説明した画像形成装置２１ａ〜２１ｄは、図８に示すような制御システム６１によって駆動制御されている。この制御システム６１は、画像の転写形成を主目的とする装置本体部２２を制御する装置本体制御部６２を中心として、給紙部６３、画像読取部６４、排紙部６５と、操作制御部６６とからなっている。前記装置本体制御部６２は、ＣＰＵを中心として各種設定データやプログラム等を格納するＲＡＭ，ＲＯＭ等の半導体メモリあるいは大容量のハードディスク（ＨＤＤ）を備えており、給紙部６３、画像読取部６４、排紙部６５内に備える独立した給紙制御部、読取制御部、排紙制御部と連絡を取り合いながら各部の動作を制御する。前記給紙部６３内の制御は、原稿シート及びインサートシートの給紙や、複写シートをどのカセットから給紙するかの選択等を行う。画像読取部６４は、分離ローラ対、搬送ローラ対及び排出ローラ対の駆動方向や速度等の制御を行う。また、排紙部６５は、シート搬送用の各種ローラ対の他に、ステープル等のシート整合制御やシートの搬送に関わるセンサ類の制御が行われる。操作制御部６６は、タッチパネル式のキー入力部や液晶表示部等のインターフェイス部を備えており、各種操作の指示や制御の状態を、液晶モニタを通して確認できるようになっている。なお、前記給紙部６３、画像読取部６４及び排紙部６５には共通して画像読取手段２５が備えられているが、この画像読取手段２５は、前記図２乃至図７に示した実施形態に応じて前記給紙部６３、画像読取部６４及び排紙部６５のいずれか一以上に設けられる。
【００３３】
（画像形成システム）
前記画像形成装置２１ａ，２１ｂ，２１ｃ，２１ｄは、画像形成部３２を中心として給紙部や排紙部を内部に備える装置本体部２２にインサートシート用の給紙手段や画像読取手段を設けたものであるが、図９に示す画像形成システム７１のように、画像形成装置本体７２に付属して使用されるＡＤＦやフィニッシャ等の付属装置７３の内部にインサートシートの給紙手段や画像読取手段を設けることも可能である。このような付属装置７３側に原稿シートを選別して読取動作を行うシート判別手段や読取制御手段が設けられているので、画像形成装置本体７２の構成が複写シートに原稿シートの画像を形成するといった画像形成部を中心とした単一の機能に限定させたものにすることができ、装置の小型化が図られる。また、画像形成装置本体７２と付属装置７３とを別体とすることで、基本的な複写機能を備えた画像形成装置本体７２に必要に応じて、前記シート判別手段や読取制御手段を備えた付属装置７３の着脱が可能となり、使用目的や設置場所等に適応した構成の選択や使用方法をとることができる。例えば、通常のコピーを取るだけであれば、画像形成装置本体７２を単体で起動しておけばよいし、また、インサートシートを挿入して製本化する場合にのみ機能を追加した付属装置７３を取り付ければよい。さらに故障箇所の切り分けができるので、メンテナンス性が向上する。
【００３４】
なお、前記ＡＤＦやフィニッシャ等の付属装置内に設けられるインサートシート給紙機能や画像読取手段には、シート判別手段、読取制御手段あるいはシート分離手段等の機能も付加される。
【００３５】
以上説明したように、画像形成装置本体に備える原稿や複写紙の給紙手段や画像の読取手段の一部を兼用するような形でインサータ機能を付加することによって画像形成装置本体の小型化や低廉化が図られた。
【００３６】
また、前記画像読取手段を画像形成装置本体部に付属して設けられる自動給紙装置や自動排紙装置等に備えることで、様々な給紙及び排紙に対応した画像形成システムを構築することが可能となった。
【図面の簡単な説明】
【図１】本発明に係る画像形成装置の全体構成を示すブロック図である。
【図２】本発明に係る画像形成装置の第１実施形態を示す断面図である。
【図３】上記第１実施形態の画像形成装置におけるシート排紙部を示す断面図である。
【図４】本発明に係る画像形成装置の第２実施形態を示す断面図である。
【図５】上記第２実施形態の画像形成装置におけるシート排紙部を示す断面図である。
【図６】本発明に係る画像形成装置の第３実施形態を示す断面図である。
【図７】本発明に係る画像形成装置の第４実施形態を示す断面図である。
【図８】本発明の画像形成装置における制御システムの構成を示すブロック図である。
【図９】本発明の画像形成システムの構成を示すブロック図である。
【図１０】従来の画像形成装置の構成を示すブロック図である。
【符号の説明】
２１ａ，２１ｂ，２１ｃ，２１ｄ  画像形成装置
２２  装置本体部
２３  シート給紙部
２４  シート排紙部
２５  画像読取手段
２６  シート分離手段
２７  シート判別手段
２８  読取制御手段
２９  給紙トレイ
３０  原稿排紙トレイ
３１  スタックトレイ
３２  画像形成部
６１  制御システム
７１  画像形成システム
７２  画像形成装置本体
７３  付属装置
【図１】
0003673247.tif 000002
【図２】
0003673247.tif 000003
【図３】
0003673247.tif 000004
【図４】
0003673247.tif 000005
【図５】
0003673247.tif 000006
【図６】
0003673247.tif 000007
【図７】
0003673247.tif 000008
【図８】
0003673247.tif 000009
【図９】
0003673247.tif 000010
【図１０】
0003673247.tif 000011